(57)【要約】【課題】ネットワーク接続装置を装着してネットワークに接続する画像表示装置において、複数のネットワークそれぞれに応じた設定の変更を容易に行うこと。【解決手段】ネットワーク接続装置を装着することによってネットワークに接続する画像表示装置であって、ネットワーク接続装置に予め一意に与えられている識別情報と、当該ネットワーク接続装置を装着することによって接続するネットワークに応じた設定内容とを対応付けて記憶する記憶部と、自装置に装着された前記ネットワーク接続装置の識別情報に対応付けて記憶部に記憶される設定内容に応じてネットワーク設定を行う設定部と、を備える。【選択図】図１
2010212794.tif 000002
【特許請求の範囲】
【請求項１】
ネットワーク接続装置を装着することによってネットワークに接続する画像表示装置であって、
前記ネットワーク接続装置に予め一意に与えられている識別情報と、当該ネットワーク接続装置を装着することによって接続するネットワークに応じた設定内容とを対応付けて記憶する記憶部と、
自装置に装着された前記ネットワーク接続装置の識別情報に対応付けて前記記憶部に記憶される前記設定内容に応じてネットワーク設定を行う設定部と、
を備える画像表示装置。
【発明の詳細な説明】
【技術分野】
【０００１】
ネットワーク接続装置を装着することによってネットワークに接続する画像表示装置に関する。
【背景技術】
【０００２】
プロジェクター等の画像表示装置をネットワークに接続するためには、ネットワークインターフェースカード（ＮＩＣ：Network Interface Card）等のネットワーク接続装置を装着し、接続先のネットワークに応じた設定を行う必要がある。そのため、複数のネットワークが存在し、画像表示装置をあるネットワークから他のネットワークに接続する場合には、改めて接続先のネットワークに応じた設定をし直す必要が生じる。
【０００３】
ネットワークの設定に関する技術には、ホスト装置からネットワークにブロードキャストされた設定プロトコルを自装置に入力し、プロトコルに含まれたＭＡＣアドレス（Media Access Control address）と自身のＭＡＣアドレスとを比較し、一致したときに自装置の設定を変更する技術が提案されている（特許文献１参照）
【先行技術文献】
【特許文献】
【０００４】
【特許文献１】特開平１１−５３１４３号公報
【発明の概要】
【発明が解決しようとする課題】
【０００５】
しかしながら、上記の技術では、ホスト装置を設置する必要が生じコストが増大してしまうという問題があった。また、上記の技術では上述したような複数のネットワークが存在する場合については想定されておらず、ネットワーク毎にホスト装置を設置する必要が生じてしまいコストがさらに増大してしまうという問題があった。
【０００６】
上記事情に鑑み、本発明は、ネットワーク接続装置を装着してネットワークに接続する画像表示装置において、複数のネットワークそれぞれに応じた設定の変更を容易に行うことを可能とする画像表示装置を提供することを目的としている。
【課題を解決するための手段】
【０００７】
本発明の一態様は、ネットワーク接続装置を装着することによってネットワークに接続する画像表示装置であって、前記ネットワーク接続装置に予め一意に与えられている識別情報と、当該ネットワーク接続装置を装着することによって接続するネットワークに応じた設定内容とを対応付けて記憶する記憶部と、自装置に装着された前記ネットワーク接続装置の識別情報に対応付けて前記記憶部に記憶される前記設定内容に応じてネットワーク設定を行う設定部と、を備える。
【０００８】
本発明によれば、装着されたネットワーク接続装置に応じて設定部がネットワーク設定を行うため、複数のネットワークそれぞれに応じた設定の変更を容易に行うことが可能となる。
【図面の簡単な説明】
【０００９】
【図１】プロジェクター２及びネットワークの構成を表す概略ブロック図である。
【図２】ネットワーク設定テーブルの例を表す図である。
【図３】プロジェクター２が接続されるネットワーク構成の例を表す図である。
【発明を実施するための形態】
【００１０】
図１は、プロジェクター２及びネットワークの構成を表す概略ブロック図である。プロジェクター２は、ネットワーク接続装置１を装着することによってネットワークＮ１に接続する。ネットワークＮ１は、ＬＡＮ（Local Area Network）等の有線ネットワークであっても良いし、無線ＬＡＮ（登録商標）等の無線ネットワークであっても良い。また、ネットワークＮ１にはゲートウェイ装置３が接続され、ゲートウェイ装置３はネットワークＮ１の他にネットワークＮ２にも接続される。プロジェクター２は、ネットワークＮ１及びゲートウェイ装置３を介して、ネットワークＮ２にも接続する。
【００１１】
ネットワーク接続装置１は、ネットワークＮ１の構成に応じて対応する機器が採用される。例えば、ネットワークＮ１が有線ＬＡＮである場合は、ネットワーク接続装置１はＬＡＮケーブルを装着可能なＬＡＮカード等を用いて構成される。また、ネットワークＮ１が無線ＬＡＮである場合は、ネットワーク接続装置１はネットワークＮ１の無線ＬＡＮルーターのプロトコルに応じて無線通信を行う無線ＬＡＮカード等を用いて構成される。なお、ネットワーク接続装置１は、それぞれ一意な識別情報が予め与えられている。一意な識別情報とは、例えばＭＡＣアドレス（Media Access Control Address）である。
【００１２】
プロジェクター２は、画像表示部２１、装着部２２、記憶部２３、設定部２４を備える。画像表示部２１は、ＰＣ（Personal Computer）等の画像供給装置によって供給された画像をスクリーンに投影する。画像供給装置は、プロジェクター２に対し、ケーブルによって通信可能に接続されても良いし、ネットワークＮ１を介して通信可能に接続されても良い。
【００１３】
装着部２２は、ネットワーク接続装置１を着脱可能に装着し、ネットワーク接続装置１を介してネットワークＮ１に接続する。装着部２２は、ネットワーク接続装置１のコネクタの形状などに合わせて、プロジェクター２に複数設けられても良い。
記憶部２３は、ハードディスクや半導体メモリー等の記憶装置を用いて構成され、ネットワーク設定テーブルを記憶する。図２は、ネットワーク設定テーブルの例を表す図である。ネットワーク設定テーブルは、ＭＡＣアドレス毎に、ネットワーク接続のための設定内容を対応付けて有する。図２の場合、ネットワーク接続のための設定内容は、ＩＰアドレス、ゲートウェイＩＰアドレス、サブネットマスク、接続パスワードの４項目である。
【００１４】
ネットワーク設定テーブルにおいて、ＭＡＣアドレスはネットワーク接続装置１のＭＡＣアドレスを表し、ＩＰアドレスは自装置に割り当てられるＩＰアドレスを表し、ゲートウェイＩＰアドレスはゲートウェイ装置３のＩＰアドレスを表し、サブネットマスクはネットワークＮ１におけるサブネットマスクを表し、接続パスワードはネットワークＮ１に接続するためのパスワード（例えば、ＷＰＡ（Wi-Fi Protected Access）等のプロトコルの認証に用いられるパスワード）を表す。
【００１５】
図１に戻ってプロジェクター２の説明を続ける。設定部２４は、ＣＰＵ（Central Processing Unit）等を用いて構成され、装着部２２に装着されたネットワーク接続装置１に応じたネットワーク設定を行う。具体的には、設定部２４は装着部２２に接続されたネットワーク接続装置１から識別情報（図２の場合はＭＡＣアドレス）を読み出し、ネットワーク設定テーブルにおいてこの読み出された識別情報に対応付けられている各設定内容を記憶部２３から読み出し、読み出された値を用いてネットワークＮ１に接続するための設定（ネットワーク設定）を行う。
【００１６】
図３は、プロジェクター２が接続されるネットワーク構成の例を表す図である。図３において、ネットワーク接続装置１−１及び１−２は図１におけるネットワーク接続装置１と構成が同じであり、与えられた識別情報（ＭＡＣアドレス）はそれぞれａ１、ａ２である。また、ネットワークＮ１−１及びＮ１−２は図１におけるネットワークＮ１と構成が同じであり、ゲートウェイ装置３−１及び３−２は図１におけるゲートウェイ装置３と構成が同じであり、それぞれネットワークＮ２に接続される。ネットワーク接続装置１−１はネットワークＮ１−１に接続するための装置であり、ネットワーク接続装置１−２はネットワークＮ２に接続するための装置である。
【００１７】
図３の場合、プロジェクター２の記憶部２３は、ネットワーク設定テーブルにおいて、ＭＡＣアドレスａ１に対応付けて、ネットワークＮ１−１で自装置が使用するＩＰアドレスｂ１、ゲートウェイ装置３−１のＩＰアドレスｃ１、ネットワークＮ１−１で使用されるサブネットマスクｄ１、ネットワークＮ１−１に接続するための接続パスワードｅ１を記憶する。また、プロジェクター２の記憶部２３は、ネットワーク設定テーブルにおいて、ＭＡＣアドレスａ２に対応付けて、ネットワークＮ１−２で自装置が使用するＩＰアドレスｂ２、ゲートウェイ装置３−２のＩＰアドレスｃ２、ネットワークＮ１−２で使用されるサブネットマスクｄ２、ネットワークＮ１−２に接続するための接続パスワードｅ２を記憶する。
【００１８】
プロジェクター２は、ネットワーク接続装置１−１を装着した場合には、設定部２４が記憶部２３からＭＡＣアドレスａ１に対応付けられた各値を読み出してネットワーク設定を行い、ネットワーク接続装置１−２を装着した場合には、設定部２４が記憶部２３からＭＡＣアドレスａ２に対応付けられた各値を読み出してネットワーク設定を行う。
【００１９】
このように構成されたプロジェクター２によれば、ネットワーク接続装置１を装着することによって、各ネットワーク接続装置１の接続先となる各ネットワークＮ１に応じた設定が設定部２４によって行われる。そのため、ネットワークＮ１が複数存在する場合も、各ネットワークに応じたネットワーク設定を容易に行うことが可能となる。したがって、ネットワークＮ１−１から他のネットワークＮ１−２へ接続先を変更する場合にも、ユーザーはプロジェクター２に装着されるネットワーク接続装置１を変更するのみでよく、ネットワークＮ１−１に応じたネットワーク設定をネットワーク１−２に応じたネットワーク設定に変更することが容易となる。
【００２０】
特に、一般的なプロジェクターでは、ネットワーク設定を行う際にわざわざネットワーク設定画面を画面表示部２１によって投影し、その投影画面を見ながら設定操作を行わなければならず、ユーザーの操作が煩雑となっていた。これに対し、プロジェクター２によれば、ユーザーは接続先となるネットワークＮ１に応じたネットワーク接続装置１を装着部２３に装着することによって、投影や他の操作をすることなくネットワーク設定を終えることが可能となる。
【００２１】
以上、この発明の実施形態について図面を参照して詳述してきたが、具体的な構成はこの実施形態に限られるものではなく、この発明の要旨を逸脱しない範囲の設計等も含まれる。
【符号の説明】
【００２２】
１…ネットワーク接続装置，  ２…プロジェクター（画像表示装置），  ２１…画像表示部，  ２２…装着部，  ２３…記憶部，  ２４…設定部
【図１】
2010212794.tif 000003
【図２】
2010212794.tif 000004
【図３】
2010212794.tif 000005